(57)【要約】【課題】本発明は異臭の拡散を防止できる環境に優しい生ゴミ処理箱を開示した。【解決手段】処理箱を含み、前記処理箱の頂面には蓋が設置され、前記蓋と前記処理箱との間には連結軸がヒンジで連結され、前記処理箱の中には作動チャンバが設置され、前記作動チャンバの底壁にはプッシュブロックスライドチャンバが設置され、前記作動チャンバと前記プッシュブロックスライドチャンバとの間には口封じ装置が設置され、ドアを開け、プッシュブロックスライドチャンバはプッシュブロックと収集箱とを左方に引き動かせ、それによってゴミ袋が収集チャンバの中に置かれ、ゴミ袋の持ち部分を傾斜ブロックにかけ、その後、収集箱を送り戻し、本発明は構成が簡単で、操作が便利であり、ゴミを捨てる前に、仕切り板を利用してゴミを仕切り、人が蓋を閉めた時、ゴミを処理し始める。【選択図】図１
2020203788.tif 000002
【特許請求の範囲】
【請求項１】
正面視で、処理箱を含み、前記処理箱の頂面には蓋が設置され、前記蓋と前記処理箱との間には連結軸がヒンジで連結され、前記処理箱の中には作動チャンバが設置され、前記作動チャンバの底壁にはプッシュブロックスライドチャンバが設置され、前記作動チャンバと前記プッシュブロックスライドチャンバとの間には口封じ装置が設置され、
前記口封じ装置は前記プッシュブロックスライドチャンバの中にスライドできるように取り付けられたプッシュブロックを含み、前記プッシュブロックと前記プッシュブロックスライドチャンバとの間にはプッシュブロックバネが連結され、前記プッシュブロックの頂面には前記作動チャンバの底面とスライドできるように連結された収集箱が固定的に設置され、前記収集箱の中には収集チャンバが設置され、前記収集箱の頂面には傾斜ブロックが左右対称的に、且つ固定的に設置され、前記収集チャンバの前後側壁には長スライドチャンバが対称的に設置され、後側の前記長スライドチャンバの左右側壁の間には長スライドロッドが連結され、前記長スライドロッドには連動スライドブロックがスライドできるように連結され、前側の前記長スライドチャンバの右側壁にはモーターが固定的に設置され、前記モーターの中には前記長スライドチャンバの左側壁と回転できるように連結された親ねじが連結され、前記親ねじにはネジ山ブロックがネジ山によって連結され、前記ネジ山ブロックと前記連動スライドブロックとの間及び前記収集チャンバの右側壁にはそれぞれホットメルト板が固定的に設置され、
前記作動チャンバの中にはまたゴミを捨てる時に異臭の拡散を防止できる止め板装置が設置され、前記作動チャンバの頂壁にはＴ型スライドチャンバが設置され、前記Ｔ型スライドチャンバの頂壁には噛み合い空間が設置され、前記噛み合い空間の頂壁には頂部チャンバが設置され、前記噛み合い空間の中には止め板装置と作動し合う触発装置が設置され、前記作動チャンバの底側には伝動空間と始動空間とが設置され、前記始動空間と前記伝動空間との間には前記蓋を開け又は閉めることを制御できる始動装置が設置されていることを特徴とする異臭の拡散を防止できる環境に優しい生ゴミ処理箱。
【請求項２】
前記止め板装置はリミットチャンバと、リミットスライドブロックと、リミットバネと、止め板軸と、止め板と、ヒンジロッドとによって構成され、前記作動チャンバの左側壁に前記リミットチャンバが設置され、前記リミットチャンバの中には前記リミットスライドブロックがスライドできるように連結され、前記リミットスライドブロックと前記リミットチャンバとの間には前記リミットバネが連結され、前記作動チャンバの前後側壁には前記止め板軸が回転できるように連結され、前記止め板軸には前記止め板が固定的に設置され、前記止め板と前記リミットスライドブロックとの間には前記ヒンジロッドがヒンジで連結されていることを特徴とする請求項１に記載の異臭の拡散を防止できる環境に優しい生ゴミ処理箱。
【請求項３】
前記触発装置は旋転軸と、第一ギヤと、凸起ブロックと、Ｔ型スライドブロックと、横方向移動板と、圧縮バネとによって構成され、前記噛み合い空間の前後側壁に前記旋転軸が回転できるように取り付けられ、前記旋転軸には前記第一ギヤが固定的に設置され、前記頂部チャンバの中には前記第一ギヤと噛み合っている前記凸起ブロックがスライドできるように連結され、前記Ｔ型スライドチャンバの中には前記第一ギヤと噛み合っている前記Ｔ型スライドブロックがスライドできるように連結され、前記Ｔ型スライドブロックの底面には前記横方向移動板が固定的に設置され、前記横方向移動板と前記作動チャンバとの間には前記圧縮バネが連結されていることを特徴とする請求項１に記載の異臭の拡散を防止できる環境に優しい生ゴミ処理箱。
【請求項４】
前記始動装置は始動ブロックと、触発バネと、スライドラックと、短軸と、第二ギヤと、巻き輪と、縄チャンバと、開口空間と、駆動ブロックと、縄と、移動ブロックと、延伸ブロックと、従動ロッドとによって構成され、前記始動空間の中に始動ブロックがスライドできるように取り付けられ、前記始動ブロックと前記始動空間との間には触発バネが連結され、前記始動ブロックの右側面には前記始動空間の右側壁及び前記伝動空間の左側壁とスライドできるように連結されたスライドラックが固定的に設置され、前記伝動空間の前後側壁には短軸が回転できるように連結され、前記短軸の後側には前記スライドラックと噛み合っている第二ギヤが固定的に設置され、前記短軸の前側には巻き輪が固定的に設置され、前記伝動空間の右側壁には縄チャンバが設置され、前記縄チャンバの頂壁には開口空間が設置され、前記開口空間の中には駆動ブロックがスライドできるように連結され、前記駆動ブロックと前記巻き輪との間には縄が連結され、前記駆動ブロックの右側面には移動ブロックが固定的に設置され、前記蓋の右側面には延伸ブロックが固定的に設置され、前記延伸ブロックの片側には従動ロッドがヒンジで連結され、前記従動ロッドの片側が前記移動ブロックとヒンジで連結されていることを特徴とする請求項１に記載の異臭の拡散を防止できる環境に優しい生ゴミ処理箱。
【請求項５】
前記作動チャンバの左側には開けられることができるドアが設置されていることを特徴とする請求項１に記載の異臭の拡散を防止できる環境に優しい生ゴミ処理箱。
【請求項６】
前記傾斜ブロックが一定の角度で傾斜していることを特徴とする請求項１に記載の異臭の拡散を防止できる環境に優しい生ゴミ処理箱。
【請求項７】
前記ホットメルト板は熱伝導性能が良い金属材料で作られることを特徴とする請求項１に記載の異臭の拡散を防止できる環境に優しい生ゴミ処理箱。
【請求項８】
前記リミットバネの弾性が非常に小さいのであることを特徴とする請求項２に記載の異臭の拡散を防止できる環境に優しい生ゴミ処理箱。
【請求項９】
前記蓋と前記処理箱との四周は面取構造であることを特徴とする請求項１に記載の異臭の拡散を防止できる環境に優しい生ゴミ処理箱。
【発明の詳細な説明】
【技術分野】
【０００１】
本発明はごみ処理分野に関わり、具体的には異臭の拡散を防止できる環境に優しい生ゴミ処理箱である。
【背景技術】
【０００２】
今、国家は環境保護を重視することにつれて、多くなる人はゴミを分別するようになった。生ゴミが特殊なゴミとして人々はそれを特別に分別するようになり、しかし伝統的なゴミ箱は開口がいつも開けられており、生ゴミはその独特な性質で、異臭が拡散しやすく、それで人々の生活に影響し、また蓋が付いているゴミ箱は、使用しない時に異臭の拡散を有効的に防止でき、しかし蓋を開けると、積んできた異臭は依然としてゴミ箱から漂い広がる。
既存のゴミ箱は人がゴミを捨てる前に、手動でゴミ袋を結ぶ必要があり、ゴミ袋を結ぶ時に生ゴミの匂いが臭く、また手に異臭が付く。
【先行技術文献】
【特許文献】
【０００３】
【特許文献１】中国特許出願公開第１０６５８２９７６号明細書
【発明の概要】
【発明が解決しようとする課題】
【０００４】
本発明は異臭の拡散を防止できる環境に優しい生ゴミ処理箱を提供し、既存技術にある上記欠点を解消することを目的とする。
【課題を解決するための手段】
【０００５】
本発明の実施例の異臭の拡散を防止できる環境に優しい生ゴミ処理箱は、処理箱を含み、前記処理箱の頂面には蓋が設置され、前記蓋と前記処理箱との間には連結軸がヒンジで連結され、前記処理箱の中には作動チャンバが設置され、前記作動チャンバの底壁にはプッシュブロックスライドチャンバが設置され、前記作動チャンバと前記プッシュブロックスライドチャンバとの間には口封じ装置が設置されている。
【０００６】
前記口封じ装置は前記プッシュブロックスライドチャンバの中にスライドできるように取り付けられたプッシュブロックを含み、前記プッシュブロックと前記プッシュブロックスライドチャンバとの間にはプッシュブロックバネが連結され、前記プッシュブロックの頂面には前記作動チャンバの底面とスライドできるように連結された収集箱が固定的に設置され、前記収集箱の中には収集チャンバが設置され、前記収集箱の頂面には傾斜ブロックが左右対称的に、且つ固定的に設置され、前記収集チャンバの前後側壁には長スライドチャンバが対称的に設置され、後側の前記長スライドチャンバの左右側壁の間には長スライドロッドが連結され、前記長スライドロッドには連動スライドブロックがスライドできるように連結され、前側の前記長スライドチャンバの右側壁にはモーターが固定的に設置され、前記モーターの中には前記長スライドチャンバの左側壁と回転できるように連結された親ねじが連結され、前記親ねじにはネジ山ブロックがネジ山によって連結され、前記ネジ山ブロックと前記連動スライドブロックとの間及び前記収集チャンバの右側壁にはそれぞれホットメルト板が固定的に設置されている。
【０００７】
前記作動チャンバの中にはまたゴミを捨てる時に異臭の拡散を防止できる止め板装置が設置され、前記作動チャンバの頂壁にはＴ型スライドチャンバが設置され、前記Ｔ型スライドチャンバの頂壁には噛み合い空間が設置され、前記噛み合い空間の頂壁には頂部チャンバが設置され、前記噛み合い空間の中には止め板装置と作動し合う触発装置が設置され、前記作動チャンバの底側には伝動空間と始動空間とが設置され、前記始動空間と前記伝動空間との間には前記蓋を開け又は閉めることを制御できる始動装置が設置されている。
【０００８】
上記の技術プランに基づいて、前記止め板装置はリミットチャンバと、リミットスライドブロックと、リミットバネと、止め板軸と、止め板と、ヒンジロッドとによって構成され、前記作動チャンバの左側壁に前記リミットチャンバが設置され、前記リミットチャンバの中には前記リミットスライドブロックがスライドできるように連結され、前記リミットスライドブロックと前記リミットチャンバとの間には前記リミットバネが連結され、前記作動チャンバの前後側壁には前記止め板軸が回転できるように連結され、前記止め板軸には前記止め板が固定的に設置され、前記止め板と前記リミットスライドブロックとの間には前記ヒンジロッドがヒンジで連結されている。
【０００９】
上記の技術プランに基づいて、前記触発装置は旋転軸と、第一ギヤと、凸起ブロックと、Ｔ型スライドブロックと、横方向移動板と、圧縮バネとによって構成され、前記噛み合い空間の前後側壁に前記旋転軸が回転できるように取り付けられ、前記旋転軸には前記第一ギヤが固定的に設置され、前記頂部チャンバの中には前記第一ギヤと噛み合っている前記凸起ブロックがスライドできるように連結され、前記Ｔ型スライドチャンバの中には前記第一ギヤと噛み合っている前記Ｔ型スライドブロックがスライドできるように連結され、前記Ｔ型スライドブロックの底面には前記横方向移動板が固定的に設置され、前記横方向移動板と前記作動チャンバとの間には前記圧縮バネが連結されている。
【００１０】
上記の技術プランに基づいて、前記始動装置は始動ブロックと、触発バネと、スライドラックと、短軸と、第二ギヤと、巻き輪と、縄チャンバと、開口空間と、駆動ブロックと、縄と、移動ブロックと、延伸ブロックと、従動ロッドとによって構成され、前記始動空間の中に始動ブロックがスライドできるように取り付けられ、前記始動ブロックと前記始動空間との間には触発バネが連結され、前記始動ブロックの右側面には前記始動空間の右側壁及び前記伝動空間の左側壁とスライドできるように連結されたスライドラックが固定的に設置され、前記伝動空間の前後側壁には短軸が回転できるように連結され、前記短軸の後側には前記スライドラックと噛み合っている第二ギヤが固定的に設置され、前記短軸の前側には巻き輪が固定的に設置され、前記伝動空間の右側壁には縄チャンバが設置され、前記縄チャンバの頂壁には開口空間が設置され、前記開口空間の中には駆動ブロックがスライドできるように連結され、前記駆動ブロックと前記巻き輪との間には縄が連結され、前記駆動ブロックの右側面には移動ブロックが固定的に設置され、前記蓋の右側面には延伸ブロックが固定的に設置され、前記延伸ブロックの片側には従動ロッドがヒンジで連結され、前記従動ロッドの片側が前記移動ブロックとヒンジで連結されている。
【００１１】
上記の技術プランに基づいて、前記作動チャンバの左側には開けられることができるドアが設置されている。
【００１２】
上記の技術プランに基づいて、前記傾斜ブロックが一定の角度で傾斜している。
【００１３】
上記の技術プランに基づいて、前記ホットメルト板は熱伝導性能が良い金属材料で作られる。
【００１４】
上記の技術プランに基づいて、前記リミットバネの弾性が非常に小さいのである。
【００１５】
また、一つの実施例の中に、前記蓋と前記処理箱との四周は面取構造である。
【発明の効果】
【００１６】
本発明の有益な効果は：本発明は構成が簡単で、操作が便利であり、ゴミを捨てる前に、仕切り板を利用してゴミを仕切り、人が蓋を閉めた時、ゴミを処理し始め、これによってゴミを捨てる時に、ゴミによって生じた異臭が漂い広がることを防止し、家の中の空気が生ゴミの異臭に汚染されない。
また本装置には熱伝導性能が良い金属材料によって作られたホットメルト板を設置しており、ホットメルト板が通電して加熱する時、プラスチック製袋の口を封じられ、手動でパックする時間を省き、それと同時にパックする時にゴミの異臭が手に付きやすい問題を解消できる。
【図面の簡単な説明】
【００１７】
発明の実施例または既存の技術の中の技術方案をより詳しく説明できるため、以下は実施例または既存の技術を説明することに必要な付図に対して簡単な紹介を行い、明らかなように、以下の付図はただ発明の一部の実施例であり、当業者にとって、創造的な労働を払わなくても、これらの付図に基づいて他の付図を獲得することができる。下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の異臭の拡散を防止できる環境に優しい生ゴミ処理箱の内部全体構成概略図
【図２】図２は本発明の中の図１の中のＡのところの部分拡大図
【図３】図３は本発明の中の図１の中のＢ―Ｂの方向の断面図
【図４】図４は本発明の中の図１の平面図
【発明を実施するための形態】
【００１９】
図１〜４を参照し、本発明の実施例の異臭の拡散を防止できる環境に優しい生ゴミ処理箱は、処理箱２１を含み、前記処理箱２１の頂面には蓋２２が設置され、前記蓋２２と前記処理箱２１との間には連結軸２９がヒンジで連結され、前記処理箱２１の中には作動チャンバ２６が設置され、前記作動チャンバ２６の底壁にはプッシュブロックスライドチャンバ４２が設置され、前記作動チャンバ２６と前記プッシュブロックスライドチャンバ４２との間には口封じ装置１０１が設置され、前記口封じ装置１０１は前記プッシュブロックスライドチャンバ４２の中にスライドできるように取り付けられたプッシュブロック４０を含み、前記プッシュブロック４０と前記プッシュブロックスライドチャンバ４２との間にはプッシュブロックバネ４１が連結され、前記プッシュブロック４０の頂面には前記作動チャンバ２６の底面とスライドできるように連結された収集箱５０が固定的に設置され、前記収集箱５０の中には収集チャンバ３８が設置され、前記収集箱５０の頂面には傾斜ブロック３４が左右対称的に、且つ固定的に設置され、前記収集チャンバ３８の前後側壁には長スライドチャンバ３６が対称的に設置され、後側の前記長スライドチャンバ３６の左右側壁の間には長スライドロッド３７が連結され、前記長スライドロッド３７には連動スライドブロック６５がスライドできるように連結され、前側の前記長スライドチャンバ３６の右側壁にはモーター６６が固定的に設置され、前記モーター６６の中には前記長スライドチャンバ３６の左側壁と回転できるように連結された親ねじ６７が連結され、前記親ねじ６７にはネジ山ブロック６８がネジ山によって連結され、前記ネジ山ブロック６８と前記連動スライドブロック６５との間及び前記収集チャンバ３８の右側壁にはそれぞれホットメルト板３５が固定的に設置され、前記作動チャンバ２６の中にはまたゴミを捨てる時に異臭の拡散を防止できる止め板装置１０２が設置され、前記作動チャンバ２６の頂壁にはＴ型スライドチャンバ６４が設置され、前記Ｔ型スライドチャンバ６４の頂壁には噛み合い空間５８が設置され、前記噛み合い空間５８の頂壁には頂部チャンバ６０が設置され、前記噛み合い空間５８の中には止め板装置１０２と作動し合う触発装置１０３が設置され、前記作動チャンバ２６の底側には伝動空間４３と始動空間２４とが設置され、前記始動空間２４と前記伝動空間４３との間には前記蓋２２を開け又は閉めることを制御できる始動装置１０４が設置されている。
【００２０】
また、一つの実施例の中に、前記止め板装置１０２は前記作動チャンバ２６の左側壁に設置されたリミットチャンバ５２を含み、前記リミットチャンバ５２の中にはリミットスライドブロック５４がスライドできるように連結され、前記リミットスライドブロック５４と前記リミットチャンバ５２との間にはリミットバネ５３が連結され、前記作動チャンバ２６の前後側壁には止め板軸２３が回転できるように連結され、前記止め板軸２３には止め板２５が固定的に設置され、前記止め板２５と前記リミットスライドブロック５４との間にはヒンジロッド５５がヒンジで連結され、
ゴミを前記止め板２５に捨てると、前記止め板２５の右端が下方へ移動し、それによってゴミが下方に落ちる。
【００２１】
また、一つの実施例の中に、前記触発装置１０３は前記噛み合い空間５８の前後側壁に回転できるように取り付けられた旋転軸５７を含み、前記旋転軸５７には第一ギヤ５６が固定的に設置され、前記頂部チャンバ６０の中には前記第一ギヤ５６と噛み合っている凸起ブロック６１がスライドできるように連結され、前記Ｔ型スライドチャンバ６４の中には前記第一ギヤ５６と噛み合っているＴ型スライドブロック６３がスライドできるように連結され、前記Ｔ型スライドブロック６３の底面には横方向移動板６９が固定的に設置され、前記横方向移動板６９と前記作動チャンバ２６との間には圧縮バネ６２が連結され、
前記蓋２２を開けると、前記圧縮バネ６２が前記横方向移動板６９と、前記Ｔ型スライドブロック６３とを左方に押し動かし、それによって第一ギヤ５６を回転連動させ、それによって前記凸起ブロック６１を上方に移動連動させ、この時に前記横方向移動板６９が前記止め板２５を止め、それによって前記止め板２５が回転することを防止でき、前記蓋２２を閉めると、前記凸起ブロック６１を押して前記頂部チャンバ６０の中に戻らせ、それによって横方向移動板６９を右方から引き戻し、前記止め板２５が回転できるようになり、その作用はゴミを捨てる時、ゴミは前記止め板２５を回転連動させて異臭が漂い広がることを防止するのである。
【００２２】
また、一つの実施例の中に、前記始動装置１０４は前記始動空間２４の中にスライドできるように取り付けられた始動ブロック４９を含み、前記始動ブロック４９と前記始動空間２４との間には触発バネ４８が連結され、前記始動ブロック４９の右側面には前記始動空間２４の右側壁及び前記伝動空間４３の左側壁とスライドできるように連結されたスライドラック４７が固定的に設置され、前記伝動空間４３の前後側壁には短軸４５が回転できるように連結され、前記短軸４５の後側には前記スライドラック４７と噛み合っている第二ギヤ４４が固定的に設置され、前記短軸４５の前側には巻き輪４６が固定的に設置され、前記伝動空間４３の右側壁には縄チャンバ３９が設置され、前記縄チャンバ３９の頂壁には開口空間３２が設置され、前記開口空間３２の中には駆動ブロック３０がスライドできるように連結され、前記駆動ブロック３０と前記巻き輪４６との間には縄３３が連結され、前記駆動ブロック３０の右側面には移動ブロック３１が固定的に設置され、前記蓋２２の右側面には延伸ブロック２７が固定的に設置され、前記延伸ブロック２７の片側には従動ロッド２８がヒンジで連結され、前記従動ロッド２８の片側が前記移動ブロック３１とヒンジで連結され、
脚で前記始動ブロック４９を押し動かし、それによって前記始動ブロック４９と前記スライドラック４７とを右方に移動連動させ、それによって前記第二ギヤ４４と、前記短軸４５と、前記巻き輪４６とを回転連動させ、それによって前記縄３３によって前記駆動ブロック３０と前記移動ブロック３１を下方へ引き、前記従動ロッド２８と前記延伸ブロック２７とによって前記蓋２２を開け、その作用は前記作動チャンバ２６を開けるのである。
【００２３】
また、一つの実施例の中に、前記作動チャンバ２６の左側には開けられることができるドア５１が設置され、
前記ドア５１を開けると、前記プッシュブロックスライドチャンバ４２が前記プッシュブロック４０と前記収納箱５０とを左方へ引き動かせることができ、それによってゴミ袋を入れ替えることに便利を与える。
【００２４】
また、一つの実施例の中に、前記傾斜ブロック３４が一定の角度で傾斜しており、
ゴミ袋の持ち部分を前記傾斜ブロック３４の上面にかけ、前記ホットメルト板３５がゴミ袋を移動連動させると、ゴミ袋の持ち部分が自動的に前記傾斜ブロック３４から離脱する。
【００２５】
また、一つの実施例の中に、前記ホットメルト板３５は熱伝導性能が良い金属材料で作られ、
前記ホットメルト板３５が通電して加熱する時、プラスチック製袋の開口を封じられる。
【００２６】
また、一つの実施例の中に、前記リミットバネ５３の弾性が非常に小さいのであり、
少量のゴミを収集しても前記リミットチャンバ５２を圧縮する。
【００２７】
また、一つの実施例の中に、前記蓋２２と前記処理箱２１との四周は面取構造であり、人を傷つけることを防止する。
【００２８】
ゴミ袋を入れる時、ドア５１を開け、プッシュブロックスライドチャンバ４２はプッシュブロック４０と収集箱５０とを左方に引き動かせ、それによってゴミ袋が収集チャンバ３８の中に置かれ、ゴミ袋の持ち部分を傾斜ブロック３４にかけ、その後、収集箱５０を送り戻し、ドア５１を閉め、ゴミを捨てる時、脚で始動ブロック４９を押し動かし、それによって始動ブロック４９とスライドラック４７とを右方に移動連動させ、それによって第二ギヤ４４と、短軸４５と、巻き輪４６とを回転連動させ、それによって縄３３によって駆動ブロック３０と移動ブロック３１を下方へ引き、従動ロッド２８と延伸ブロック２７とによって蓋２２を開け、この時に圧縮バネ６２は横方向移動板６９とＴ型スライドブロック６３とを左方に押し動かし、それによって第一ギヤ５６を回転連動させ、それによって凸起ブロック６１を上方に移動連動させ、この時に横方向移動板６９が止め板２５を止め、それによって止め板２５が回転することを防止でき、その後、ゴミを止め板２５に捨て、脚を放し、蓋２２が自動的に閉められ、凸起ブロック６１を押して頂部チャンバ６０の中に戻らせ、それによって横方向移動板６９を右方から引き戻し、止め板２５が回転できるようになり、止め板２５の右端が下方に移動し、それによってゴミが下方に落ち、ゴミがいっぱいになった時、モーター６６を始動し、それによって親ねじ６７を回転連動させ、それによってネジ山ブロック６８と、連動スライドブロック６５と、左端のホットメルト板３５とを右方に移動連動させ、この時にホットメルト板３５が通電して加熱し、それによってゴミ袋の口を通風できないように封じ、その後、モーター６６を始動して逆方向に回転させ、ホットメルト板３３を復帰させ、ドア５１を開け、プラスチックパッケージのゴミ袋を取り出せばよい。
【００２９】
本発明の有益な効果は：本発明は構成が簡単で、操作が便利であり、ゴミを捨てる前に、仕切り板を利用してゴミを仕切り、人が蓋を閉めた時、ゴミを処理し始め、これによってゴミを捨てる時に、ゴミによって生じた異臭が漂い広がることを防止し、家の中の空気が生ゴミの異臭に汚染されない。
【００３０】
また本装置には熱伝導性能が良い金属材料によって作られたホットメルト板を設置しており、ホットメルト板が通電して加熱する時、プラスチック製袋の口を封じられ、手動でパックする時間を省き、それと同時にパックする時にゴミの異臭が手に付きやすい問題を解消できる。
【００３１】
上記はただ本発明の好ましい実施例であり、本発明を限定するものではなく、本発明の精神と原則の中で、行ったあらゆる修正と、同じ効果の入れ替えと、改善などはいずれも本発明の保護範囲の中にカバーされるべきである。
【図１】
2020203788.tif 000003
【図２】
2020203788.tif 000004
【図３】
2020203788.tif 000005
【図４】
2020203788.tif 000006
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
正面視で、処理箱を含み、前記処理箱の頂面には蓋が設置され、前記蓋と前記処理箱との間には連結軸がヒンジで連結され、前記処理箱の中には作動チャンバが設置され、前記作動チャンバの底壁にはプッシュブロックスライドチャンバが設置され、前記作動チャンバと前記プッシュブロックスライドチャンバとの間には口封じ装置が設置され、
前記口封じ装置は前記プッシュブロックスライドチャンバの中にスライドできるように取り付けられたプッシュブロックを含み、前記プッシュブロックと前記プッシュブロックスライドチャンバとの間にはプッシュブロックバネが連結され、前記プッシュブロックの頂面には前記作動チャンバの底面とスライドできるように連結された収集箱が固定的に設置され、前記収集箱の中には収集チャンバが設置され、前記収集箱の頂面には傾斜ブロックが左右対称的に、且つ固定的に設置され、前記収集チャンバの前後側壁には長スライドチャンバが対称的に設置され、後側の前記長スライドチャンバの左右側壁の間には長スライドロッドが連結され、前記長スライドロッドには連動スライドブロックがスライドできるように連結され、前側の前記長スライドチャンバの右側壁にはモーターが固定的に設置され、前記モーターの中には前記長スライドチャンバの左側壁と回転できるように連結された親ねじが連結され、前記親ねじにはネジ山ブロックがネジ山によって連結され、前記ネジ山ブロックと前記連動スライドブロックとの間及び前記収集チャンバの右側壁にはそれぞれホットメルト板が固定的に設置され、
前記作動チャンバの中にはまたゴミを捨てる時に異臭の拡散を防止できる止め板装置が設置され、前記作動チャンバの頂壁にはＴ型スライドチャンバが設置され、前記Ｔ型スライドチャンバの頂壁には噛み合い空間が設置され、前記噛み合い空間の頂壁には頂部チャンバが設置され、前記噛み合い空間の中には止め板装置と作動し合う触発装置が設置され、前記作動チャンバの底側には伝動空間と始動空間とが設置され、前記始動空間と前記伝動空間との間には前記蓋を開け又は閉めることを制御できる始動装置が設置され、
前記止め板装置はリミットチャンバと、リミットスライドブロックと、リミットバネと、止め板軸と、止め板と、ヒンジロッドとによって構成され、前記作動チャンバの左側壁に前記リミットチャンバが設置され、前記リミットチャンバの中には前記リミットスライドブロックがスライドできるように連結され、前記リミットスライドブロックと前記リミットチャンバとの間には前記リミットバネが連結され、前記作動チャンバの前後側壁には前記止め板軸が回転できるように連結され、前記止め板軸には前記止め板が固定的に設置され、前記止め板と前記リミットスライドブロックとの間には前記ヒンジロッドがヒンジで連結され、ゴミを前記止め板に捨てると、前記止め板の右端が下方へ移動し、それによってゴミが下方に落ち、
前記触発装置は旋転軸と、第一ギヤと、凸起ブロックと、Ｔ型スライドブロックと、横方向移動板と、圧縮バネとによって構成され、前記噛み合い空間の前後側壁に前記旋転軸が回転できるように取り付けられ、前記旋転軸には前記第一ギヤが固定的に設置され、前記頂部チャンバの中には前記第一ギヤと噛み合っている前記凸起ブロックがスライドできるように連結され、前記Ｔ型スライドチャンバの中には前記第一ギヤと噛み合っている前記Ｔ型スライドブロックがスライドできるように連結され、前記Ｔ型スライドブロックの底面には前記横方向移動板が固定的に設置され、前記横方向移動板と前記作動チャンバとの間には前記圧縮バネが連結され、前記蓋を開けると、前記圧縮バネが前記横方向移動板と、前記Ｔ型スライドブロックとを左方に押し動かし、それによって第一ギヤを回転連動させ、それによって前記凸起ブロックを上方に移動連動させ、この時に前記横方向移動板が前記止め板を止め、それによって前記止め板が回転することを防止でき、前記蓋を閉めると、前記凸起ブロックを押して前記頂部チャンバの中に戻らせ、それによって横方向移動板を右方から引き戻し、前記止め板が回転できるようになり、その作用はゴミを捨てる時、ゴミは前記止め板を回転連動させて異臭が漂い広がることを防止するのであり、
前記始動装置は始動ブロックと、触発バネと、スライドラックと、短軸と、第二ギヤと、巻き輪と、縄チャンバと、開口空間と、駆動ブロックと、縄と、移動ブロックと、延伸ブロックと、従動ロッドとによって構成され、前記始動空間の中に始動ブロックがスライドできるように取り付けられ、前記始動ブロックと前記始動空間との間には触発バネが連結され、前記始動ブロックの右側面には前記始動空間の右側壁及び前記伝動空間の左側壁とスライドできるように連結されたスライドラックが固定的に設置され、前記伝動空間の前後側壁には短軸が回転できるように連結され、前記短軸の後側には前記スライドラックと噛み合っている第二ギヤが固定的に設置され、前記短軸の前側には巻き輪が固定的に設置され、前記伝動空間の右側壁には縄チャンバが設置され、前記縄チャンバの頂壁には開口空間が設置され、前記開口空間の中には駆動ブロックがスライドできるように連結され、前記駆動ブロックと前記巻き輪との間には縄が連結され、前記駆動ブロックの右側面には移動ブロックが固定的に設置され、前記蓋の右側面には延伸ブロックが固定的に設置され、前記延伸ブロックの片側には従動ロッドがヒンジで連結され、前記従動ロッドの片側が前記移動ブロックとヒンジで連結され、脚で前記始動ブロックを押し動かし、それによって前記始動ブロックと前記スライドラックとを右方に移動連動させ、それによって前記第二ギヤと、前記短軸と、前記巻き輪とを回転連動させ、それによって前記縄によって前記駆動ブロックと前記移動ブロックを下方へ引き、前記従動ロッドと前記延伸ブロックとによって前記蓋を開け、その作用は前記作動チャンバを開けるのであり、
前記作動チャンバの左側には開けられることができるドアが設置され、
前記傾斜ブロックが一定の角度で傾斜しており、
前記ホットメルト板は熱伝導性能が良い金属材料で作られ、
前記リミットバネの弾性が非常に小さいのであり、
前記蓋と前記処理箱との四周は面取構造であり、
ゴミ袋を入れる時、前記ドアを開け、前記プッシュブロックスライドチャンバは前記プッシュブロックと前記収集箱とを左方に引き動かせ、それによってゴミ袋が前記収集チャンバの中に置かれ、ゴミ袋の持ち部分を前記傾斜ブロックにかけ、その後、前記収集箱を送り戻し、前記ドアを閉め、ゴミを捨てる時、脚で前記始動ブロックを押し動かし、それによって前記始動ブロックと前記スライドラックとを右方に移動連動させ、それによって前記第二ギヤと、前記短軸と、前記巻き輪とを回転連動させ、それによって前記縄によって前記駆動ブロックと前記移動ブロックを下方へ引き、前記従動ロッドと前記延伸ブロックとによって前記蓋を開け、この時に前記圧縮バネは前記横方向移動板と前記Ｔ型スライドブロックとを左方に押し動かし、それによって前記第一ギヤを回転連動させ、それによって前記凸起ブロックを上方に移動連動させ、この時に前記横方向移動板が前記止め板を止め、それによって前記止め板が回転することを防止でき、その後、ゴミを前記止め板に捨て、脚を放し、前記蓋が自動的に閉められ、前記凸起ブロックを押して前記頂部チャンバの中に戻らせ、それによって前記横方向移動板を右方から引き戻し、前記止め板が回転できるようになり、前記止め板の右端が下方に移動し、それによってゴミが下方に落ち、ゴミがいっぱいになった時、前記モーターを始動し、それによって前記親ねじを回転連動させ、それによって前記ネジ山ブロックと、前記連動スライドブロックと、左端の前記ホットメルト板とを右方に移動連動させ、この時に前記ホットメルト板が通電して加熱し、それによってゴミ袋の口を通風できないように封じ、その後、前記モーターを始動して逆方向に回転させ、前記ホットメルト板を復帰させ、前記ドアを開け、プラスチックパッケージのゴミ袋を取り出せばよいことを特徴とする異臭の拡散を防止できる環境に優しい生ゴミ処理箱。